(57)【要約】【課題】被発熱検出体の温度検出精度が高く、かつ小型化することができる電源回路を提供する。【解決手段】出力端子１４，１５の間には２つのツェナーダイオード１６，１７が直列接続されている。ツェナーダイオード１６，１７の出力側には電流検出回路１８が接続されている。また、ツェナーダイオード１６，１７はトランス６に組み込まれた状態で配置されている。使用時間の長期化に伴いトランス６が発熱したり、逆電圧が過電圧となるとトランジスタ２０のＥ−Ｂ間電圧が所定値に達してトランジスタ２０がオンする。すると、トランジスタ２４がオンしてフォトカプラ３０もオンし、１次側制御回路１０の発振が止まって電源回路１が遮断する。【選択図】        図１
2004173391.tif 000002
【特許請求の範囲】
【請求項１】
電源から入力した入力電圧を変圧して、所定の出力電圧として出力する電源回路において、
前記出力電圧が出力される出力端子及びグランド端子間に接続され、周囲の温度と前記出力端子及びグランド端子間の電圧値とに応じた漏れ電流を流す検出手段と、
前記漏れ電流の電流値が所定値に達したときにスイッチ状態が切り換わって、電源出力を遮断させるスイッチ手段とを備え、
前記検出手段が被温度検出体の近傍に配置されていることを特徴とする電源回路。
【請求項２】
直流状態の前記入力電圧をスイッチング制御してパルス変換し、変圧された所定の出力電圧を前記出力端子から出力させる変換手段を備え、前記スイッチ手段は前記変換手段のスイッチング制御を停止して前記電源出力を遮断させることを特徴とする請求項１に記載の電源回路。
【請求項３】
前記検出手段及び前記スイッチ手段は同一部品で複数機能を満たす構成であり、前記検出手段の特性値と前記スイッチ手段を構成する各素子の特性値とは前記複数機能を満たす値に設定されていることを特徴とする請求項１又は２に記載の電源回路。
【請求項４】
前記スイッチ手段は２つのトランジスタを備え、これらトランジスタはサイリスタを構成するように接続されていることを特徴とする請求項１〜３のうちいずれか一項に記載の電源回路。
【請求項５】
１次側の前記入力電圧をスイッチング制御によりパルス変換する前記変換手段としての１次側制御回路と、前記１次側制御回路により生じたパルス電圧を変圧して２次側に出力するトランスとを備えた絶縁型であって、
前記スイッチ手段は前記漏れ電流の電流値が所定値に達したときのスイッチ切換えによって前記１次側制御回路のスイッチング制御を停止して電源を遮断させ、前記１次側制御回路と前記スイッチ手段とは、前記スイッチ手段のスイッチ状態に応じて光る投光部とその光を受光してオンオフが切り換わる受光部とからなる光センサによって接続されていることを特徴とする請求項２〜４のうちいずれか一項に記載の電源回路。
【請求項６】
前記検出手段は前記被温度検出体の内部側に組み込まれていることを特徴とする請求項１〜５のうちいずれか一項に記載の電源回路。
【請求項７】
前記スイッチ手段は前記漏れ電流の電流値が所定値に達したときに電源出力を一時的に遮断し、前記漏れ電流の電流値が前記所定値を下回って温度又は電圧の正常を検知したときに自動復帰することを特徴とする請求項１〜３，５，６のうちいずれか一項に記載の電源回路。
【発明の詳細な説明】
【０００１】
【発明の属する技術分野】
本発明は、外部から取り込んだ入力電圧を所定の値に変圧し、その出力電圧を集積回路や負荷機器等に供給する電源回路に関するものである。
【０００２】
【従来の技術】
従来から、外部から取り込んだ入力電圧を所定の値に変圧し、その出力電圧を集積回路や負荷機器等に供給する電源回路が広く用いられている。この種の電源回路は例えば特許文献１等に記載され、電源回路には回路部品のうち使用時間の長期化に伴って発熱する発熱部品が存在する。電源回路の発熱部品としては例えばトランスや平滑回路を構成するコンデンサ等がある。
【０００３】
これら発熱部品の発熱を抑えるために、従来では以下の方法が用いられている。例えば、発熱部品の付近にそれ相当の放熱板を搭載する方法や、発熱部品のサイズを大きくする方法がある。また、発熱部品の近くに温度ヒューズ抵抗を搭載する方法や、発熱部品の発熱温度をサーミスタによって検知してその温度値に基づき電源回路を遮断する方法もある。
【０００４】
【特許文献１】
特開２００１−２６８９０４号公報（第４−５頁、第１図）
【０００５】
【発明が解決しようとする課題】
しかし、上記に述べた方法はどれも広い搭載範囲を必要とするので、電源回路が大型化する問題が生じていた。また、この種の電源回路には出力電圧が過電圧となったときに回路が遮断する過電圧保護回路が内蔵されている。このため、発熱を抑える温度保護回路と過電圧保護回路との両方を設けると、それぞれに部品が必要となるので、このことも電源回路の大型化に繋がっていた。
【０００６】
本発明は前記の問題点に鑑みてなされたものであって、その目的は、被発熱検出体の温度検出精度が高く、かつ小型化することができる電源回路を提供することにある。
【０００７】
【課題を解決するための手段】
上記問題点を解決するために、本発明では、電源から入力した入力電圧を変圧して、所定の出力電圧として出力する電源回路において、前記出力電圧が出力される出力端子及びグランド端子間に接続され、周囲の温度と前記出力端子及びグランド端子間の電圧値とに応じた漏れ電流を流す検出手段と、前記漏れ電流の電流値が所定値に達したときにスイッチ状態が切り換わって、電源出力を遮断させるスイッチ手段とを備え、前記検出手段が被温度検出体の近傍に配置されている構成とする。
【０００８】
この構成によれば、検出手段は周囲の温度に応じた漏れ電流を流しており、例えば周囲の温度が高温化して漏れ電流が所定値に達したときには、スイッチ手段によって電源出力が遮断される。一方、例えば印加された逆電圧の電圧値が高くなって漏れ電流が所定値に達したときにも、スイッチ手段によって電源出力が遮断される。従って、検出手段及びスイッチ手段は例えば温度保護機能及び過電圧保護機能等の複数機能の間で共用が可能になり、機能ごとに別々に設ける場合に比べて部品点数の増加が防げて電源回路の小型化が図れる。さらに、検出手段が被温度検出体の近傍に配置されるので、被温度検出体の温度変化を的確に検知可能になる。
【０００９】
本発明では、直流状態の前記入力電圧をスイッチング制御してパルス変換し、変圧された所定の出力電圧を前記出力端子から出力させる変換手段を備え、前記スイッチ手段は前記変換手段のスイッチング制御を停止して前記電源出力を遮断させる構成とする。この構成によれば、変換手段は入力電圧を変圧する際に必要な予め搭載された部品であり、その変換手段のスイッチング制御を停止して電源出力を遮断するので、例えば電源出力を遮断するための新たな素子を設けずに済み、部品点数の増加が防げる。
【００１０】
本発明では、前記検出手段及び前記スイッチ手段は同一部品で複数機能を満たす構成であり、前記検出手段の特性値と前記スイッチ手段を構成する各素子の特性値とは前記複数機能を満たす値に設定されている構成とする。この構成によれば、特性値を合わせ込むことによって検出手段とスイッチ手段とを複数機能間で共用することができる。
【００１１】
本発明では、前記スイッチ手段は２つのトランジスタを備え、これらトランジスタはサイリスタを構成するように接続されている構成とする。この構成によれば、スイッチ手段が備える２つのトランジスタはサイリスタを構成するように接続されているので、電源回路は電源が遮断された後、一旦電源を入れ直さないと再起動しない。従って、電源回路の復帰タイミングをユーザが自分で決められ、電源回路がいつ復帰したのかが分かり易い。
【００１２】
本発明では、１次側の前記入力電圧をスイッチング制御によりパルス変換する前記変換手段としての１次側制御回路と、前記１次側制御により生じた交流電圧を変圧して２次側に出力するトランスとを備えた絶縁型であって、前記スイッチ手段は前記漏れ電流の電流値が所定値に達したときのスイッチ切換えによって前記１次側制御回路のスイッチ制御を停止して電源を遮断させ、前記１次側制御回路と前記スイッチ手段とは、前記スイッチ手段のスイッチ状態に応じて光る投光部とその光を受光してオンオフが切り換わる受光部とからなる光センサによって接続されている構成とする。この構成によれば、トランスと光センサとを挟んだ１次側と２次側とが電気的に分離されているので、２次側に高負荷がかかっても１次側に不具合が生じ難くなる。
【００１３】
本発明では、前記検出手段は前記被温度検出体の内部側に組み込まれている構成とする。この構成によれば、検出手段が被温度検出体の内部側に組み込まれているので、被温度検出体の温度変化を敏感に検出し易くなる。
【００１４】
本発明では、前記スイッチ手段は前記漏れ電流の電流値が所定値に達したときに電源出力を一時的に遮断し、前記漏れ電流の電流値が前記所定値を下回って温度又は電圧の正常を検知したときに自動復帰する構成とする。この構成によれば、スイッチ手段が一時的に遮断しても漏れ電流の電流値が所定値を下回って温度又は電圧の正常が検知されれば自動復帰するので、電源が遮断されたとしても例えば電源スイッチ等を再投入する必要がなくって手間が省ける。
【００１５】
【発明の実施の形態】
以下、本発明をプリンタに使用される電源回路に具体化した一実施形態を図１〜図３に従って説明する。
【００１６】
図１は、電源回路１の回路図である。電源回路１は例えばプリンタ等の電源基板に搭載されている。以下に詳述すると、電源回路１は整流回路２を備え、整流回路２の出力側にはコンデンサ４が並列接続されている。整流回路２は４つのダイオード３からなり、入力側が電源としての交流電源５に接続されている。交流電源５から出力される交流電圧は、整流回路２及びコンデンサ４によって直流電圧に変換される。
【００１７】
整流回路２の出力側には交流電源５の交流電圧を所定電圧に変換して出力する被温度検出体としてのトランス（変圧器）６が接続されている。トランス６は１次巻線７と２次巻線８とを有し、交流電源５の交流電圧を１次巻線７及び２次巻線８の巻数比から決まる値の電圧に変圧し、その電圧を２次巻線８から２次電圧として出力する。１次巻線７及び２次巻線８はロの字形状の鉄心９に巻き掛けられている。
【００１８】
トランス６の１次巻線７と整流回路２との間には変換手段としての１次側制御回路１０が接続されている。１次側制御回路１０はＦＥＴやトランジスタ等の素子から構成され、ＦＥＴをスイッチング制御して発振させることで整流された入力電圧Ｖｉｎをパルス電圧に変換し、１次巻線７側に生じる１次電圧の電圧値を制御する。このため、１次側制御回路１０により変圧器６の１次電圧が変換されることで、２次巻線８から所定の値に変換された交流の２次電圧が出力される。
【００１９】
２次巻線８にはダイオード１１とコンデンサ１２からなる平滑回路１３が接続され、この平滑回路１３はトランス６により変圧された２次電圧を平滑化して所定の直流電圧に変換する。電源回路１の出力側には＋側出力端子１４と−側出力端子（グランド端子）１５とが設けられ、＋側出力端子１４からは直流の出力電圧Ｖｏｕｔ  が出力される。出力端子１４，１５には電源回路１の電源供給先となるＩＣ（図示省略）等が接続され、このＩＣとしてはプリンタを制御するＣＰＵや、ＣＰＵの指令に基づき駆動するＡＳＩＣ等がある。
【００２０】
また、＋側出力端子１４と−側出力端子１５との間にはカソードが＋側出力端子１４を向くように検出手段としての２つのツェナーダイオード１６，１７が直列接続されている。ツェナーダイオード１６，１７には出力電圧Ｖｏｕｔ  が逆電圧Ｖｒ  として印加されている。本例では同一部品のツェナーダイオード１６，１７が出力端子１４，１５間に直列接続されているので、ツェナーダイオード１６，１７の各々１つ１つに印加される逆電圧ＶｒはＶｏｕｔ  ／２となっている。
【００２１】
各ツェナーダイオード１６，１７は漏れ電流Ｉを流しており、この漏れ電流Ｉには温度依存性がある。その温度依存性を図２に示すと、ツェナーダイオード１６，１７は逆電圧Ｖｒが同一条件下であれば、高温になるに連れて漏れ電流（逆電流）Ｉが大きくなる特性を有している。また、漏れ電流Ｉは逆電圧Ｖｒが高くなるに連れて値が大きくなる特性を有し、特に本例では逆電圧Ｖｒが低いうちは漏れ電流Ｉが少しずつ増加し、ある点を超えてから逆電圧Ｖｒの傾きが急激に大きくなる。
【００２２】
図２に示す片対数グラフでは、逆電圧Ｖｒと漏れ電流Ｉの関係を示すグラフを温度Ｔ１，Ｔ２，Ｔ３，Ｔ４（Ｔ１＜Ｔ２＜Ｔ３＜Ｔ４）のときの４つ図示している。本例に示すツェナーダイオード１６，１７ではＶｏｕｔ  ／２の値の逆電圧Ｖｒが印加されているときに流れる漏れ電流Ｉは、各温度Ｔ１，Ｔ２，Ｔ３，Ｔ４においてそれぞれＩ１，Ｉ２，Ｉ３，Ｉ４（Ｉ１＜Ｉ２＜Ｉ３＜Ｉ４）となっている。また、漏れ電流Ｉ３が流れるときの逆電圧Ｖｒは、温度がＴ１のときＶａ、温度がＴ２のときＶｂとなっている。
【００２３】
また、ツェナーダイオード１６，１７は電源回路１の発熱源であるトランス６の近傍に配置されている。ここでいう近傍とは、トランス６の発熱が行き渡る空間領域のことを指している。図３に示すように、本例ではトランス６の２次巻線８の内部空間内にツェナーダイオード１６，１７が組み込まれた状態となっている。このため、トランス６は使用時において発熱し易いが、その温度上昇がツェナーダイオード１６，１７によって敏感に検知される。
【００２４】
図１に示す電源回路１はツェナーダイオード１６，１７から流れる漏れ電流Ｉによりオンオフが切り換わるスイッチ手段としての電流検出回路１８を備えている。電流検出回路１８を以下に詳述すると、ツェナーダイオード１７のアノードには抵抗１９が接続されている。抵抗１９の出力側にはトランジスタ２０のベースが接続され、そのエミッタは−側出力端子１５に接続されている。トランジスタ２０のエミッタ−ベース間には抵抗値（特性値）がＲの抵抗２１とコンデンサ２２とが並列接続されている。
【００２５】
トランジスタ２０のコレクタには抵抗２３を介してトランジスタ２４のベースが接続され、そのコレクタはトランジスタ２０のベースに接続されている。トランジスタ２４のエミッタ−ベース間には抵抗２５が接続されている。また、＋側出力端子１４とトランジスタ２０のエミッタとの間には２つの抵抗２６，２７が直列接続されている。ここで、ツェナーダイオード１６，１７の特性値と抵抗２１の抵抗値Ｒは、温度がＴ３となったときにトランジスタ２０がオンする値に設定されている。
【００２６】
ツェナーダイオード１６，１７の周辺の温度上昇に伴い漏れ電流Ｉが増加して所定の電流値となると、トランジスタ２０のエミッタ−ベース間電圧（以下、Ｅ−Ｂ間電圧と記す）Ｖｂｅが所定の電圧値に達してトランジスタ２０がオンし、それとともにトランジスタ２４もオンする。本例ではＶｏｕｔ  ／２の値の逆電圧Ｖｒが印加されている状態において、温度がＴ３になって漏れ電流Ｉの電流値がＩ３となったときに、Ｅ−Ｂ間電圧ＶｂｅがＩ３×Ｒとなってトランジスタ２０がオンする。
【００２７】
電源回路１は発光ダイオード２８とフォトトランジスタ２９とからなるフォトカプラ３０を備えている。発光ダイオード２８は抵抗２７に対して並列に接続されている。一方、フォトトランジスタ２９のエミッタ及びコレクタは１次側制御回路１０に接続されている。トランジスタ２４がオンすると電流が流れて発光ダイオード２８が発光し、それをフォトトランジスタ２９が受光してフォトカプラ３０がオンする。このとき、１次側制御回路１０のＦＥＴの発振が止まって電源回路１が遮断された状態となる。
【００２８】
また、電源回路１はトランス６とフォトカプラ３０とによって電気的に１次側と２次側に分けられ、電源側が１次側回路３１、出力端子側が２次側回路３２となっている。電流検出回路１８の２つのトランジスタ２０，２４はサイリスタ接続されているので、電源回路１は一度遮断すると一旦電源を切らないと再起動しないラッチ方式である。なお、発光ダイオード２８が投光部、フォトトランジスタ２９が受光部、フォトカプラ３０が光センサに相当する。
【００２９】
次に、電源回路１の作用について説明する。プリンタの初期温度をＴ１とし、使用時間の長期化に伴いトランス６が発熱してトランス６の内部温度がＴ３となったとする。このとき、トランジスタ２０のＥ−Ｂ間電圧ＶｂｅがＩ３×Ｒの値となってトランジスタ２０がオンする。トランジスタ２０がオンするとトランジスタ２４もオンし、発光ダイオード２８に電流が流れてフォトカプラ３０もオンする。
【００３０】
そして、フォトカプラ３０がオンすると１次側制御回路１０の発振が止まって電源回路１が遮断する。このため、逆電圧ＶｒがＶｏｕｔ  ／２が印加された状態では、温度がＴ３になって漏れ電流ＩがＩ３になったときが温度検出ポイントＰ１（図２参照）となる。本例では、ツェナーダイオード１６，１７がトランス６の２次巻線８の内部に組み込まれているので、トランス６の温度上昇を敏感に検知可能になり、トランス６が高温となったときにはほぼ確実に電源回路１を遮断可能になる。
【００３１】
また、電源回路１は温度保護機能の他に過電圧保護機能も有している。以下に詳述すると、例えば温度がＴ１の条件下ではツェナーダイオード１６，１７の１つ当たりに印加される逆電圧（ツェナー電圧）ＶｒがＶｂとなったとき、漏れ電流Ｉの電流値がＩ３となり、トランジスタ２０がオンして電源回路１が遮断される。また、同様に温度がＴ２の条件下ではツェナーダイオード１６、１７の１つ当たりに印加される逆電圧ＶｒがＶａとなったとき、漏れ電流Ｉの電流値がＩ３となり、トランジスタ２０がオンして電源回路１が遮断される。
【００３２】
このため、電源回路１の内部で異常が生じて出力電圧Ｖｏｕｔ  が過剰な値となっても、温度Ｔ１のときには逆電圧ＶｒがＶｂとなったときに電源回路１が遮断され、温度Ｔ２のときには逆電圧ＶｒがＶａとなったときに電源回路１が遮断される。よって、出力電圧Ｖｏｕｔ  が過電圧となってもそのときには電源回路１が遮断されるので、電源回路１の接続先に過電圧を供給せずに済む。ここで、温度がＴ１〜Ｔ２の範囲では逆電圧Ｖａ〜Ｖｂの範囲が過電圧検出ポイントＰ２となる。
【００３３】
従って、ツェナーダイオード１６，１７及び電流検出回路１８を用いて温度保護機能と過電圧保護機能との両方を行うので、各機能ごとに部材を設ける場合と比較して部品点数が減って電源回路１の小型化が図れる。また、このように部品を共用化すれば、温度保護回路として例えば放熱板の搭載、発熱部品（トランス）のサイズアップ、温度ヒューズ抵抗やサーミスタの採用等を用いた場合と比較しても電源回路１が小型化する。
【００３４】
特に、電源回路１には本例のようなツェナーダイオード１６，１７や電流検出回路１８が過電圧保護回路として搭載されている回路もある。よって、この回路を用いてツェナーダイオード１６、１７や抵抗２１の抵抗値Ｒの特性値だけ代えれば、温度保護機能と過電圧保護機能の共用化が図れ、元々の回路を大幅に設計変更する必要もない。
【００３５】
また、トランス６は発熱し易い部品であり、高温となったときには直ちにトランス６を放熱させる必要がある。本例では発熱体であるトランス６にツェナーダイオード１６，１７が組み込まれているので、ツェナーダイオード１６，１７はトランス６の温度上昇を敏感に検知可能となり、トランス発熱時には直ちに電源回路１が遮断され、トランス６の高い放熱効果も得られる。
【００３６】
従って、この実施形態では以下の効果を得ることができる。
（１）ツェナーダイオード１６，１７と電流検出回路１８とを温度保護機能と過電圧保護機能との両方で共有化しているので、両機能間でこれら部品を共用でき、機能ごとに別々の部品を設ける場合に比べて部品点数の増加が防げて電源回路１を小型化できる。さらに、発熱体であるトランス６の内部にツェナーダイオード１６，１７が組み込まれているので、発熱体の温度変化を的確に検知でき、発熱体が無視できない温度まで上昇しているにも拘らず電源回路１が遮断しない不具合が生じ難くなる。
【００３７】
（２）１次側制御回路１０のＦＥＴの発振を止めることによって電源回路１が遮断されるので、例えば電源回路１を遮断するための新たな素子を設けずに済み、部品点数の増加が防げる。
【００３８】
（３）電流検出回路１８の２つのツェナーダイオード１６，１７はサイリスタ接続されているので、電源回路１は電源が遮断された後、一旦電源を入れ直さないと再起動しない。従って、電源回路１の復帰タイミングはユーザが自分で決めることになり、電源回路１がいつ復帰したのか分からないようなことがない。
【００３９】
（４）電源回路１はトランス６とフォトカプラ３０とによって１次側と２次側が電気的に分離されているので、例えば２次側に高負荷がかかっても１次側に不具合を生じ難くできる。
【００４０】
（５）ツェナーダイオード１６，１７はトランス６の内部側に組み込まれているので、トランス６の温度変化を一層的確に検知することができる。
（６）ツェナーダイオード１６，１７は例えば温度ヒューズやサーミスタに比べて小型であるので、このツェナーダイオード１６，１７を温度検出体として用いることで電源回路１を一層小型化できる。
【００４１】
（７）電流検出回路１８は漏れ電流Ｉが所定値を超えたときにオン状態となって１次側制御回路１０の発振を止める構成である。ところで、温度が低い状態や過電圧が付加されていない通常状態は、高温化状態や過電圧が付加された状態と比べて期間が長いので、通常状態では電流検出回路１８をオフ状態にしておけ、電力消費の低減化が図れる。
【００４２】
なお、実施形態は前記に限定されず、以下の態様に変更してもよい。
（変形例１）電源回路１はトランス６を用いた絶縁型に限定されず、例えば整流した入力電圧をチョッパ制御して所定の出力電圧を出力する非絶縁型でもよい。
【００４３】
（変形例２）電源回路１は入力電圧Ｖｉｎよりも低い電圧値の出力電圧Ｖｏｕｔ  を出力する降圧型に限らず、入力よりも高い電圧値を出力する昇圧型でもよい。
（変形例３）検出手段はツェナーダイオード１６，１７に限らず、温度を検知可能な素子であればその種類は特に限定されない。また、検出手段としてツェナーダイオードを用いる場合、その個数は本例のように２つに限らず、１つや３つ以上等、その個数は適宜変更してもよい。
【００４４】
（変形例４）被温度検出体はトランス６に限定されない。例えば、電源回路１では平滑回路１３のダイオード１１も発熱する素子であるので、ツェナーダイオード１６，１７をダイオード１１の近傍に配置してもよい。また、トランス６やダイオード１１に代えて１次側制御回路１０を構成する素子でもよい。
【００４５】
（変形例５）ツェナーダイオード１６，１７は必ずしもトランス６に組み込まれる必要はなく、トランス６の温度上昇を検知可能であれば、トランス６の付近に配置してもよい。
【００４６】
（変形例６）ツェナーダイオード１６，１７は温度が上昇するに連れて漏れ電流Ｉが低くなるものでもよい。この場合では、漏れ電流Ｉが所定の電流値を下回ったときに電流検出回路１８がオン状態となり、それに基づき電源回路１の電源が遮断される。
【００４７】
（変形例７）ツェナーダイオード１６，１７と電流検出回路１８が共用する機能は温度保護機能と過電圧保護機能に限らず、これら以外の機能を組み合わせてもよくその種類は特に限定されない。
【００４８】
（変形例８）電源回路１は遮断された後、電源を再投入することで復帰するラッチ方式に限らず、所定時間後に電源が自動で復帰する自動復帰式を用いてもよい。
【００４９】
（変形例９）ツェナーダイオード１６，１７のツェナー電圧は高いもの或いは低いもののどちらを用いてもよい。このうち、ツェナー電圧が高い方が温度特性が顕著であるので、ツェナー電圧の高いものを用いればそれだけ温度検出精度の高い電源回路１になる。
【００５０】
（変形例１０）電源は交流電源に限らず、直流電源でもよい。また、１次側回路３１と２次側回路３２とはフォトカプラ３０によって光学的に接続されることに限らず、例えばトランジスタ２４のエミッタを直に１次側制御回路１０に接続してもよい。
【００５１】
（変形例１１）電源回路１はプリンタに用いられることに限らず、例えばＡＣアダプタ等の他の電気製品の電源回路としても用いてもよい。
前記実施形態及び別例から把握できる技術的思想について、以下にその効果とともに記載する。
【００５２】
（１）請求項１〜７おいて、前記検出手段はツェナーダイオードである。この場合、ツェナーダイオードは小型であるので、電源回路を一層小型化できる。
（２）請求項１〜４，６，７において、直流の前記入力電圧をスイッチング駆動により変圧するドライブ回路と、前記ドライブ回路が前記第２出力電圧を出力するように該ドライブ回路のスイッチング駆動を制御する定電圧制御回路とを備えた非絶縁型である。
【００５３】
（３）請求項１〜７において、前記検出手段と前記スイッチ手段は、前記電源出力の電圧が所定値を超えて過電圧となったときに電源出力を遮断する過電圧保護機能と、前記回路内の温度が所定値を超えて高温となったときに前記電源出力を遮断する温度保護機能の両方を共用化している。この場合、検出手段とスイッチ手段とを用いてこれら２つの機能を共用することができる。
【００５４】
（４）請求項１〜７において、前記スイッチ手段はトランジスタと、前記トランジスタのエミッタ−ベース間に接続された抵抗とを備え、前記検出手段及び前記スイッチ手段が同一部品で複数機能を満たすように前記抵抗の特性値が設定されている。
【００５５】
（５）請求項１〜７において、前記検出手段及び前記スイッチ手段が同一部品で複数機能を満たすように前記検出手段の特性値が設定されている。
（６）請求項１〜７において、前記被温度検出体は前記電源回路の構成部品である。
【００５６】
（７）請求項１〜７において、前記検出手段は周囲の温度と逆電圧の電圧値とがそれぞれ高くなるに連れて電流値の大きい漏れ電流を流し、前記スイッチ手段は前記漏れ電流が所定値を超えたときにオン状態となり、このオン動作によって前記電圧生成手段をオフ状態にして電源を遮断させる。この場合、期間として長い通常状態ではスイッチ手段がオフ状態であり、漏れ電流が多くなって所定値を超えたときにスイッチ手段がオン状態となるので、電力消費の低減化が図れる。
【００５７】
（８）請求項１〜７において、前記所定値は前記被温度検出体が高温になったとみなせる閾値、又は前記出力端子間に過電圧が印加された状態とみなせる閾値である。この場合、被温度検出体が高温になったとき、又は出力端子間に過電圧が印加されたときに電源出力を遮断できる。
【図面の簡単な説明】
【図１】一実施形態における電源回路の電気的構成図。
【図２】漏れ電流と逆電圧の関係を示す片対数グラフ。
【図３】トランスの斜視図。
【符号の説明】
１…電源回路、５…電源としての交流電源、６…被温度検出体としてのトランス、１０…変換手段としての１次側制御回路、１４，１５…出力端子、１６，１７…検出手段としてのツェナーダイオード、１８…スイッチ手段としての電流検出回路、２０，２４…トランジスタ、２８…投光部としての発光ダイオード、２９…受光部としてのフォトトランジスタ、３０…光センサとしてのフォトカプラ、Ｖｉｎ…入力電圧、Ｖｏｕｔ  …出力電圧、Ｖｒ…逆電圧、Ｔ１〜Ｔ４…温度、Ｉ…漏れ電流。
【図１】
2004173391.tif 000003
【図２】
2004173391.tif 000004
【図３】
2004173391.tif 000005